(57)【要約】【課題】簡単な手順で、新たに追加する原稿の画像データと既に電子ペーパーに記憶されている画像データとを所望のページ順序に配列して電子ペーパーに記憶させることのできる画像読取装置および画像読取システムを提供する。【解決手段】原稿束から１枚ずつ繰り出してその画像を光学的に読み取る原稿読取部と、原稿束内での電子ペーパーのページ位置を検出する位置検出部と、電子ペーパーと通信する通信部と、原稿読取部で読み取って得た、原稿束の中の電子ペーパー以外の各原稿のスキャンデータを、位置検出部で検出したページ位置に基づいて、各原稿のスキャンデータと電子ペーパー内に予め記憶されているデータとが原稿束内での並び順に対応したページ順序になるように、電子ペーパーのメモリに格納する。【選択図】図６
2012009955.tif 000002
【特許請求の範囲】
【請求項１】
複数ページの画像データを記憶可能な電子ペーパーを含む原稿束から１枚ずつ繰り出してその画像を光学的に読み取る原稿読取部と、
前記原稿束内での前記電子ペーパーのページ位置を検出する位置検出部と、
前記電子ペーパーと通信する通信部と、
前記原稿読取部で読み取って得た、前記原稿束の中の前記電子ペーパー以外の各原稿の画像データを、前記位置検出部で検出したページ位置に基づいて、前記各原稿の画像データと前記電子ペーパー内に予め記憶されている画像データとが前記原稿束内での並び順に対応したページ順序になるように、前記電子ペーパーのメモリに前記通信部を通じて格納する格納制御部と
を有する
ことを特徴とする画像読取装置。
【請求項２】
前記格納制御部は、前記電子ペーパーに記憶されている画像データのうち、該電子ペーパーの表示部に表示中のページの画像データを基準にページ順序を設定して前記格納を行う
ことを特徴とする請求項１に記載の画像読取装置。
【請求項３】
前記格納制御部は、前記ページ順序を示す情報として、前記各原稿の画像データの、前記電子ペーパーに予め記憶されている画像データに対する相対ページ位置情報を、前記電子ペーパーに記憶させる
ことを特徴とする請求項１または２に記載の画像読取装置。
【請求項４】
前記格納制御部は、前記ページ順序を示す情報としてページ番号を、前記電子ペーパーに記憶させる
ことを特徴とする請求項１または２に記載の画像読取装置。
【請求項５】
前記検出部は、前記原稿読取部で読み取って得た画像データと前記電子ペーパーに予め記憶されている画像データとを比較し、同一と認定した画像データが前記原稿読取部による何枚目の読み取りで得た画像データであるかに基づいて、前記ページ位置を検出する
ことを特徴とする請求項１乃至４のいずれか１つに記載の画像読取装置。
【請求項６】
前記検出部は、電子ペーパーと通信する第２通信部を、前記原稿読取部からの原稿の排出箇所に有し、前記排出箇所に何枚目が排出されたときに前記第２通信部が電子ペーパーと通信できたかに応じて、前記ページ位置を検出する
ことを特徴とする請求項１乃至４のいずれか１つに記載の画像読取装置。
【請求項７】
前記検出部は、電子ペーパーと通信する第２通信部を前記原稿読取部の搬送経路の途中に有し、何枚目の搬送時に前記第２通信部が電子ペーパーと通信できたかに応じて、前記ページ位置を検出する
ことを特徴とする請求項１乃至４のいずれか１つに記載の画像読取装置。
【請求項８】
請求項１乃至７のいずれか１つに記載の画像読取装置と、前記電子ペーパーとを備えた
ことを特徴とする画像読取システム。
【発明の詳細な説明】
【技術分野】
【０００１】
本発明は、原稿を読み取って得た画像データを電子ペーパーに転送して書き込む画像読取装置および画像読取システムに関する。
【背景技術】
【０００２】
紙媒体のように薄く、柔軟性がありながら、表示内容を電子的に書き換え可能な電子ペーパーと呼ばれる情報伝達媒体がある。電子ペーパーには内部にメモリを備えたタイプがあり、このタイプの電子ペーパーにデータを書き込む装置として、たとえば、原稿を光学的に読み取って得た画像データを電子ペーパーに書き込む装置が提案されている（特許文献１参照）。この装置では、まず、原稿台にセットされた原稿を自動原稿送り部で画像読取部へ順次繰り出して搬送し、各原稿を光学的に読み取って得た画像データを保存する。その後、電子ペーパーを自動原稿送り部にセットしてスタートさせると、該電子ペーパーが所定の書き込み位置まで搬送され、先ほど読み取って保存した原稿の画像データが電子ペーパーに書き込まれるようになっている。
【０００３】
また、紙原稿と電子ペーパーが混在した原稿束から自動原稿送り装置で原稿を１枚ずつ順に繰り出して読み取る画像読取装置が提案されている（たとえば、特許文献２参照）。この装置では、原稿台の近傍に第１通信部を用意し、原稿セット段階で電子ペーパーと通信して電子ペーパー内のデータを一括して取得する。さらに原稿の搬送路中に第２通信部を用意し、第２通信部によって電子ペーパーであると判断できないものについては光学スキャンを行い、電子ペーパーであると判断されたものについてはその載置順を確定させる。そして、原稿を光学的に読み取って得た電子データと電子ペーパーから読み出した電子データとを、載置順に整列させ、該整列後の電子データを、画像として出力する、あるいはネットワーク等を通じて他装置へ転送するようになっている。
【先行技術文献】
【特許文献】
【０００４】
【特許文献１】特開２００８−１４７９８２号公報
【特許文献２】特開２００９−４９８０号公報
【発明の概要】
【発明が解決しようとする課題】
【０００５】
たとえば、複数の会議に出席し、そのうち一つの会議ではデータ入りのフレキシブルな電子ペーパーが会議資料として配布され、他の会議では紙媒体で会議資料が配布されたような場合に、電子ペーパーのメモリにまだ余裕があれば、それら複数の会議資料を電子ペーパーのメモリに一括して保存したいといった要請がある。このように既にデータ入りの電子ペーパーに対して別の原稿のデータを追加する場合、従来は、追加する原稿をスキャナで読み取り、その画像データを電子ペーパーの書き込み装置へ転送すると共に、電子ペーパーを該書き込み装置にセットし、その後、画像データの書き込み指示を入力する、といった幾つかの手順を踏む必要があり、煩雑であった。
【０００６】
さらに電子ペーパー内に既に格納されているデータと新たに追加するデータとのページ順序をユーザが指定したい場合には、電子ペーパー内のデータを情報機器へ一度読み込み、その内容を表示し、ユーザからページ位置の指定を受け付ける、といった幾つかの手順をさらに要し、作業がより一層煩雑化し、ユーザにとって不便であった。
【０００７】
特許文献１は、原稿台にセットした原稿束を読み取って得た画像データを、該読み取り後に原稿台にセットした電子ペーパーに書き込むことはできるが、原稿を読み取って得た画像データと既に電子ペーパー内に記憶されているデータとのページ順序については何ら考慮されていない。特許文献２は、載置順に電子データを整列させているが、その整列後の電子データは、画像として出力あるいはネットワークを通じて他の装置へ転送されるに過ぎず、電子ペーパーのメモリに保存することができない。
【０００８】
なお、表示（書き換え）回数に制限がある電子ペーパーの場合、新たな原稿のデータを追加記憶するために、表示内容の書き換えが発生しないようにすることが望ましい。
【０００９】
本発明は、上記の問題を解決しようとするものであり、簡単な手順で、新たに追加する原稿の画像データと既に電子ペーパーに記憶されているデータとを所望のページ順序に配列して電子ペーパーに記憶させることのできる画像読取装置および画像読取システムを提供することを目的としている。
【課題を解決するための手段】
【００１０】
かかる目的を達成するための本発明の要旨とするところは、次の各項の発明に存する。
【００１１】
［１］複数ページの画像データを記憶可能な電子ペーパーを含む原稿束から１枚ずつ繰り出してその画像を光学的に読み取る原稿読取部と、
前記原稿束内での前記電子ペーパーのページ位置を検出する位置検出部と、
前記電子ペーパーと通信する通信部と、
前記原稿読取部で読み取って得た、前記原稿束の中の前記電子ペーパー以外の各原稿の画像データを、前記位置検出部で検出したページ位置に基づいて、前記各原稿の画像データと前記電子ペーパー内に予め記憶されている画像データとが前記原稿束内での並び順に対応したページ順序になるように、前記電子ペーパーのメモリに前記通信部を通じて格納する格納制御部と
を有する
ことを特徴とする画像読取装置。
【００１２】
上記発明では、原稿束内の電子ペーパーのページ位置を検出し、電子ペーパーに予め記憶されているデータと原稿束から読み取った紙原稿（原稿束中の電子ペーパー以外の原稿）の画像データとが、原稿束での並び順に対応したページ順序となるように順序付けして、原稿束から読み取った紙原稿の画像データを電子ペーパーに格納する。これにより、原稿束内の所望のページ位置に電子ペーパーを挿入してこの原稿束を当該画像読取装置で読み取るだけの簡単な手順で、新たに追加する原稿の画像データと既に電子ペーパーに記憶されている画像データとを所望のページ順序に配列して電子ペーパーに記憶させることができる。
【００１３】
［２］前記格納制御部は、前記電子ペーパーに記憶されている画像データのうち、該電子ペーパーの表示部に表示中のページの画像データを基準にページ順序を設定して前記格納を行う
ことを特徴とする［１］に記載の画像読取装置。
【００１４】
上記発明では、電子ペーパーに複数ページ分のデータが記憶されている場合には、表示中のページのデータを基準にページ順序が設定される。すなわち、原稿束内での並び順に対応するように、紙原稿から読み取って得た画像データと表示中ページのデータとが順序付けされて格納される。非表示のデータは、ページ順序付けの対象外となる。
【００１５】
［３］前記格納制御部は、前記ページ順序を示す情報として、前記各原稿の画像データの、前記電子ペーパーに予め記憶されている画像データに対する相対ページ位置情報を、前記電子ペーパーに記憶させる
ことを特徴とする［１］または［２］に記載の画像読取装置。
【００１６】
上記発明では、紙原稿から読み取って得た画像データのページ位置は、電子ペーパー内のデータを基準にした相対的な位置（相対ページ位置情報）で表される。電子ペーパー内に既にあるデータを変更することなく（ページ順序を示す情報を追加したり変更したりすることなく）、ページ順序を規定することができる。
【００１７】
［４］前記格納制御部は、前記ページ順序を示す情報としてページ番号を、前記電子ペーパーに記憶させる
ことを特徴とする［１］または［２］に記載の画像読取装置。
【００１８】
上記発明では、電子ペーパーに予め記憶されているデータも含めた通しのページ番号が、各ページのデータに付与される。
【００１９】
［５］前記検出部は、前記原稿読取部で読み取って得た画像データと前記電子ペーパーに予め記憶されている画像データとを比較し、同一と認定した画像データが前記原稿読取部による何枚目の読み取りで得た画像データであるかに基づいて、前記ページ位置を検出する
ことを特徴とする［１］乃至［４］のいずれか１つに記載の画像読取装置。
【００２０】
上記発明では、光学的に読み取って得た画像データと電子ペーパー内のデータが一致する場合に、その画像データは電子ペーパーの表示部の画像を読み取って得たものであるとし判断し電子ペーパーのページ位置を特定する。
【００２１】
［６］前記検出部は、電子ペーパーと通信する第２通信部を、前記原稿読取部からの原稿の排出箇所に有し、前記排出箇所に何枚目が排出されたときに前記第２通信部が電子ペーパーと通信できたかに応じて、前記ページ位置を検出する
ことを特徴とする［１］乃至［４］のいずれか１つに記載の画像読取装置。
【００２２】
上記発明では、排紙箇所に第２通信部を配置することで、第２通信部は、電子ペーパーが排紙箇所に排紙されるまでは電子ペーパーとの通信が成立せず、電子ペーパーが排紙箇所に排紙されたとき電子ペーパーとの通信が成立するので、通信が成立したときに排紙された原稿を電子ペーパーと判定してページ位置を特定する。
【００２３】
［７］前記検出部は、電子ペーパーと通信する第２通信部を前記原稿読取部の搬送経路の途中に有し、何枚目の搬送時に前記第２通信部が電子ペーパーと通信できたかに応じて、前記ページ位置を検出する
ことを特徴とする［１］乃至［４］のいずれか１つに記載の画像読取装置。
【００２４】
上記発明では、搬送経路中に設けた第２通信部の通信範囲を紙原稿が通過したときは通信が成立せず、電子ペーパーが第２通信部の通信範囲を通過したときは通信が成立するので、通信が成立したときに第２通信部の通信範囲を通過した原稿を電子ペーパーと判定して電子ペーパーのページ位置を特定する。
【００２５】
［８］［１］乃至［７］のいずれか１つに記載の画像読取装置と、前記電子ペーパーとを備えた
ことを特徴とする画像読取システム。
【００２６】
上記発明では、画像読取システムは、電子ペーパーと、画像読取装置とを有して構成される。
【発明の効果】
【００２７】
本発明に係る画像読取装置および画像読取システムによれば、簡単な手順で、新たに追加する原稿の画像データと既に電子ペーパーに記憶されている画像データとを所望のページ順序に配列して電子ペーパーに記憶させることができる。
【図面の簡単な説明】
【００２８】
【図１】本発明の第１の実施の形態に係る画像読取装置の概略構成を示すブロック図である。
【図２】本発明の第１の実施の形態に係る画像読取装置の原稿自動搬送装置の概略構成を示す説明図である。
【図３】電子ペーパーの概略構成を示すブロック図である。
【図４】本発明の第１の実施の形態に係る画像読取装置が行う読み取り動作を示す流れ図である。
【図５】原稿束内の各原稿と電子ペーパーの位置、およびその原稿束の読み取り画像を示す説明図である。
【図６】図５に示す原稿束を読み取って得たスキャンデータを第１転送処理で転送する前の電子ペーパー内のメモリの記憶状態と転送後の記憶状態を模式的に示す説明図である。
【図７】電子ペーパーに格納される画像のデータ構造例を示す説明図である。
【図８】電子ペーパーに格納されるデータ例であって、ページ順序を示す情報がページ番号である場合を示す説明図である。
【図９】電子ペーパーに格納されるデータ例であって、ページ順序を示す情報が相対ページ位置情報である場合を示す説明図である。
【図１０】本発明の第２、第３の実施の形態に係る画像読取装置の自動原稿搬送装置を示す説明図である。
【図１１】本発明の第２の実施の形態に係る画像読取装置の読み取り動作を示す流れ図である。
【図１２】照合処理（図１１のステップＳ２０６）の詳細を示す流れ図である。
【図１３】原稿束内の各原稿と電子ペーパー（Ｐ３表示中）の位置、およびその原稿束の読み取り画像を示す説明図である。
【図１４】図１３に示す原稿束を読み取って得たスキャンデータを第２転送処理で転送する前の電子ペーパー内のメモリの記憶状態と転送後の記憶状態を模式的に示す説明図である。
【図１５】電子ペーパーの表示中ページのデータ例であって、ページ順序を示す情報がページ番号である場合を示す説明図である。
【図１６】電子ペーパーの表示中ページのデータ例であって、ページ順序を示す情報が相対ページ位置情報である場合を示す説明図である。
【図１７】本発明の第３の実施の形態に係る画像読取装置の読み取り動作を示す流れ図である。
【図１８】第２照合処理（図１７のステップＳ３０８）の詳細を示す流れ図である。
【図１９】原稿束を読み取って得たスキャンデータを第１転送処理で転送する前の電子ペーパー内のメモリの記憶状態（複数ページあり）と転送後の記憶状態を模式的に示す説明図である。
【発明を実施するための形態】
【００２９】
以下、図面に基づき本発明の各種実施の形態を説明する。
【００３０】
図１は、本発明の第１の実施の形態に係る画像読取装置１０の概略構成を示している。画像読取装置１０は、原稿や電子ペーパーを光学的に読み取って画像データを取得し、その画像データを保存したり外部端末へ送信したりする機能を備えた装置である。また、セットされた原稿束の中に電子ペーパーが含まれている場合は、原稿束の中の何枚目に電子ペーパーが位置しているか（ページ位置）を検出し、原稿束の中の電子ペーパー以外の原稿（以後、紙原稿と呼ぶ）を光学的に読み取って得た画像データを、該紙原稿の画像データと電子ペーパー内に予め記憶されている画像データとが原稿束内での並び順に対応したページ順序になるように、電子ペーパーに格納する機能を備えている。以後、電子ペーパーと紙原稿の総称を原稿類と呼ぶものとする。
【００３１】
画像読取装置１０は、当該画像読取装置１０の動作を統括制御するＣＰＵ（Central Processing Unit）を含む制御部１１に、操作部１２と、表示部１３と、ＲＯＭ（Read Only Memory）１４と、ＲＡＭ（Random Access Memory）１５と、不揮発メモリ１６と、画像処理部１７と、画像読み取り部１８と、自動原稿搬送装置３０と、通信部１９と、ハードディスク装置２１と、ネットワークＩ／Ｆ部２２とを接続して構成される。ＲＯＭ１４には各種のプログラムが格納されており、これらのプログラムに従って制御部（ＣＰＵ）１１が処理を実行することにより画像読取装置１０としての各機能が実現される。ＲＡＭ１５は制御部１１がプログラムを実行する際に各種のデータを一時的に格納するワークメモリや画像データを一時的に記憶する画像メモリとして使用される。不揮発メモリ１６には、電源がオフしても保存しておくべきユーザ情報や各種の設定情報が記憶される。
【００３２】
操作部１２は、ユーザから各種の操作を受ける機能を果たす。表示部１３は、各種の操作画面や設定画面、選択画面、案内画面などを表示する機能を果たす。ここでは、表示部１３は、液晶ディスプレイ（ＬＣＤ…Liquid Crystal Display）で構成され、操作部１２は、該液晶ディスプレイの表面に形成され、押下された座標位置を検出するタッチパネルや、テンキー、スタートボタン、各種操作スイッチなどで構成される。
【００３３】
自動原稿搬送装置３０は、原稿台にセットされた原稿束から原稿類を１枚ずつ分離し繰り出し、読み取り位置Ｆ（図２参照。）を経由させて所定の排紙箇所（排紙トレイ）へ搬送する機能を果たす。自動原稿搬送装置３０の詳細は後述する。
【００３４】
画像読み取り部１８は、自動原稿搬送装置３０によって搬送される原稿類を読み取り位置Ｆで光学的に読み取って画像データを取得する機能を果たす。画像読み取り部１８は、原稿類に光を照射し、その反射光を受光することで原稿類をその搬送方向（副走査方向）と直行する主走査方向に１ライン分読み取る密着型のラインイメージセンサを備えて構成されている。画像読み取り部１８は、自動原稿搬送装置３０によって原稿類を搬送方向（副走査方向）に移動させながら主走査方向へのライン単位の読取動作を繰り返すことで原稿類を２次元画像として読み取るようになっている。また、画像読み取り部１８は、ラインイメージセンサの出力するアナログ画像信号をデジタルの画像情報に変換して出力する。なお、画像読み取り部１８によって光学的に読み取って得た画像データをスキャンデータとも呼ぶものとする。
【００３５】
通信部１９は、電子ペーパーと通信して、電子ペーパー内のデータを読み出す機能、データを電子ペーパーに書き込む機能を果たす。
【００３６】
画像処理部１７は、画像データの色補正、縮小、解像度変換、圧縮、伸張などの処理を行う。
【００３７】
ハードディスク装置２１は、画像読み取り部１８で読み取って得た画像データ等を保存する大容量不揮発の記憶装置である。ネットワークＩ／Ｆ部２２は、ＬＡＮ（Local Area Network）などのネットワークと接続してネットワーク上の各種装置と通信する機能を果たす。たとえば、画像読み取り部１８で読み取って得た画像データを外部端末へ送信する場合や外部装置からジョブの実行指示を受信する場合などに使用される。
【００３８】
図２は、自動原稿搬送装置３０および画像読み取り部１８を示している。自動原稿搬送装置３０は、複数枚の紙原稿や電子ペーパー４０を重ねた原稿束Ｑを載置可能な原稿台３１と、原稿台３１に載置された原稿束Ｑの最上のものから順に原稿類を１枚ずつ分離して繰り出す繰り出しローラ３２と、繰り出しローラ３２によって送り出された原稿類を、読み取り位置Ｆを経由させて排紙トレイ３３へ搬送する搬送経路３４を備えている。
【００３９】
搬送経路３４は、原稿類を案内する案内壁と、適所に配置されて原稿類をその表裏面から挟持する複数組の対をなす搬送ローラ３４ａと、読み取り位置Ｆに密着するように原稿類をその背面から押圧する密着ローラ３４ｂと、搬送ローラ３４ａや密着ローラ３４ｂを回転駆動する図示省略の搬送モータなどで構成されている。読み取り位置Ｆにはスリット３４ｃが設けてあり、画像読み取り部１８は、このスリット３４ｃを通して原稿類の画像を光学的に読み取るようになっている。
【００４０】
なお、原稿台３１には、原稿類の有無、および載置されている原稿類のサイズや向きを検出する原稿センサが設けてある。また、搬送経路３４の各所には原稿の有無を検出するセンサが設けてあり、制御部１１はセンサ出力に基づいて、原稿がそのセンサ位置を通過したタイミングの認識や紙つまりを検出するようになっている。
【００４１】
通信部１９は、第１通信部１９ａと、第２通信部１９ｂを有し、そのうち、第１通信部１９ａは、自動原稿搬送装置３０の搬送経路３４の途中の所定箇所（読み取り位置Ｆより上流側）に設けてある。第２通信部１９ｂは、排紙トレイ３３に排出された電子ペーパー４０と通信可能な位置、たとえば、排紙トレイ３３に埋め込むようにして設けられる。
【００４２】
第１通信部１９ａは、原稿台３１から繰り出した原稿類が電子ペーパー４０か否かを判定するために使用される。第１通信部１９ａは原稿台３１から繰り出された電子ペーパー４０と、該電子ペーパー４０が読み取り位置Ｆに到達する前に通信可能な位置に設けてある。具体的には、画像読み取り部１８より搬送経路の上流側に設けてある。
【００４３】
第２通信部１９ｂは、排紙トレイ３３に排紙された電子ペーパー４０と通信するために使用される。第１の実施の形態では、第２通信部１９ｂは、排紙トレイ３３上の電子ペーパー４０にデータを書き込む（転送する）際に使用される。図２の破線Ａ１で示すエリアは第１通信部１９ａの通信可能領域を、破線Ａ２で示すエリアは第２通信部１９ｂの通信可能領域を例示している。
【００４４】
図３は、電子ペーパー４０の電気的構成を示している。電子ペーパー４０は、表示部４１と、メモリ部４２と、制御部４３と、無線通信部４４とを備えている。無線通信部４４は、画像読取装置１０の通信部１９と無線通信によりデータやコマンド、レスポンスなどの送受信を行う。メモリ部４２はデータを記憶する不揮発メモリである。
【００４５】
制御部４３は、無線通信部４４を通じて外部から受信したコマンド（指示）に基づいて、受信したデータのメモリ部４２への書き込みや、メモリ部４２に記憶されているデータの読み出しや外部への送信、表示部４１の表示制御（たとえば、表示するページを切り替える、表示をオンオフする）などを行う。電子ペーパー４０は、表示部４１を構成する表示層と、メモリ部４２、制御部４３、無線通信部４４が設けられた制御回路層と、これらを両側から挟むフィルム層とを積層した４層構造で構成された薄くて柔軟なフィルム状を成している。
【００４６】
電子ペーパー４０の表示部４１の代表的な方式として電気泳動方式がある。この方式は、正と負に帯電した白色と黒色の顔料粒子がオイルと共に収められた透明なマイクロカプセルを、２枚の狭い電極板間に隙間なく並べる。２枚の電極のうち表示面となる電極は透明電極となっており、他方の電極は表示する画素単位の微小な矩形電極で構成される。制御部４３からの電圧印加によって電極間に電界を生じさせると、正と負に帯電した白色と黒色の顔料粒子がオイル中を泳動し、印加電圧の極性に応じた色の顔料粒子がマイクロカプセルの表示面側に集まる。電圧印加を停止しても、停止前の表示状態が維持される。電子ペーパー４０の表示部４１は上記構成に限定されず各種公知の方式のものでよい。なお、電子ペーパー４０はバッテリーを内蔵する方式でもよいし、外部から受ける電波（電界）によって発電して各部へ給電する方式でもよい。
【００４７】
図４は、第１の実施の形態の画像読取装置１０が行う原稿束の読み取り処理の流れを示している。ユーザが、原稿束を原稿台３１に載置した後、図示省略のスタートボタンが押下されると、画像読取装置１０の制御部１１は図４の読み取り処理を実行する。
【００４８】
まず、自動原稿搬送装置３０により、原稿台３１にセットされている原稿束の最上のものから順に、１枚の原稿類を搬送する（ステップＳ１０１）。搬送開始直後に第１通信部１９ａによる通信を開始し、電子ペーパー４０との通信を試みる（ステップＳ１０２）。電子ペーパー４０と通信できたか否かによってこの原稿類が電子ペーパー４０か否かを判定する（ステップＳ１０３）。
【００４９】
電子ペーパー４０でないとき（ステップＳ１０３；Ｎｏ）、すなわち、第１通信部１９ａが電子ペーパー４０と通信できなかったときは、第１通信部１９ａの通信を終了させ（ステップＳ１０４）、この原稿類を画像読み取り部１８によって光学的に読み取り、該読み取りで得た画像データをＲＡＭ１５に保存し（ステップＳ１０５）、ステップＳ１０８へ移行する。光学的な読み取りで得た画像データは、何枚目に搬送した原稿の画像データであるかを示す情報（ページ位置を示す情報）と対応付けて、あるいは読み取った順に整列させて保存する。
【００５０】
ステップＳ１０１で搬送を開始した原稿類が電子ペーパー４０の場合（ステップＳ１０３；Ｙｅｓ）、すなわち、第１通信部１９ａが電子ペーパー４０と通信できたときは、第１通信部１９ａの通信を終了させる（ステップＳ１０６）。そして、光学的な読み取りは行わず、該電子ペーパー４０が読み取り開始から何枚目に搬送した原稿類であるか（電子ペーパー４０の原稿束Ｑ内でのページ位置）を示す情報を不揮発メモリ１６に記録して（ステップＳ１０７）、ステップＳ１０８へ移行する。光学的な読み取りをスキップさせる場合、搬送速度を高めるようにするとよい。
【００５１】
ステップＳ１０８では、原稿台３１に原稿があるか否かを判別し、残原稿があれば（ステップＳ１０８；Ｙｅｓ）、ステップＳ１０１に戻って次の１枚について前述の処理を行う。残原稿なしの場合は（ステップＳ１０８；Ｎｏ）、ステップＳ１０５で光学読み取りを行って保存した各ページの画像データを第２通信部１９ｂにより電子ペーパー４０に転送して保存する（ステップＳ１０９）。このとき、電子ペーパー４０のメモリ部４２に予め記憶されている画像データ（既存データとする）があるときは、ステップＳ１０５で読み取って得た各原稿の画像データと、電子ペーパー４０内の既存データ（複数ページ分あっても全既存データをひと塊として扱う）が、原稿束Ｑ内での並び順に対応したページ順序になるように、順序付けして保存する。このような順序で保存する転送処理を第１転送処理とする。
【００５２】
すなわち、第１転送処理では、電子ペーパー４０内の全既存データを基準とし、これがステップＳ１０７で記録したページ位置となるように、ステップＳ１０５で読み取って保存した紙原稿の画像データを電子ペーパー４０内の既存データの前後のページ位置に挿入する。
【００５３】
たとえば、ステップＳ１０５で読み取って得た各原稿の画像データに、その原稿が何枚目に搬送した原稿であるかを示すページ位置情報を付して保存している場合には、これらのページ位置およびステップＳ１０７で記録した電子ペーパー４０のページ位置に基づき、各原稿の画像データおよび電子ペーパー４０内の既存データをそれぞれのページ位置が示すページ順序に順序付けて保存すればよい。
【００５４】
図５は、５枚で構成された原稿束の上から３ページ目が電子ペーパー４０である場合における原稿台３１上の初期の載置状態と、この原稿束を（電子ペーパー４０はスキップ）光学的に読み取って得た画像データを示している。３枚目が電子ペーパー４０である。１枚目は「い」の文字の描かれた紙原稿、２枚目は「ろ」の文字の描かれた紙原稿、３枚目は電子ペーパー４０、４枚目は「は」の文字の描かれた紙原稿、５枚目は「に」の文字の描かれた紙原稿となっている。３枚目の電子ペーパー４０について光学的な読み取りは行われない。
【００５５】
図６は、図５の原稿束を読み取った場合における、ステップＳ１０９での転送前の電子ペーパー４０のメモリ部４２の記憶状態４２ａと、転送後のメモリ部４２の記憶状態４２ｂを示している。原稿束の中で電子ペーパー４０は３ページ目に位置しているので、転送前の記憶状態４２ａに存在するデータ（Ａ）は、転送後の記憶状態４２ｂでは、先頭から３ページ目となるように登録される。
たとえば、データ（Ａ）を基準にすれば、１枚目のスキャンデータ「い」と、２枚目のスキャンデータ「ろ」をこの順でデータ（Ａ）の前方に挿入し、２枚目のスキャンデータ「は」と、４枚目のスキャンデータ「に」をこの順でデータ（Ａ）の後方に挿入する。
【００５６】
図７は、電子ペーパー４０に保存する１ページ分のデータのデータ構造５０の一例を示している。１ページ分のデータは、画像ＩＤ情報領域５１と画像パラメータ領域５２とをヘッダ部として備え、その後ろに画像データを格納する画像データ領域５３を有して構成される。画像パラメータ領域５２には、画像サイズ（縦）５２ａ、画像サイズ（横）５２ｂ、解像度５２ｃなどが登録される（図８参照）。
【００５７】
図８、図９は、電子ペーパー４０が保存する１ページ分のデータの具体例を示している。図８はページ順序を示す情報として、各ページに通しページ番号５１ａを与える場合のデータ（ページ順序絶対指定のデータ５０Ａ）を示している。図８のデータ５０Ａは、図５、図６に示す原稿束内５枚目の原稿に対応するデータである。なお、ページ番号を使用する場合、電子ペーパー４０内に予め記憶されているデータに対しては、そのページ番号状況を書き換えるようにしてもよい。また、一旦、電子ペーパー４０内のデータを画像読取装置１０に保存した上で電子ペーパー４０から消去し、該保存したデータとスキャンデータとをページ順序に従って配列（電子ソート）したデータを電子ペーパー４０に転送して書き込むようにしてもよい。
【００５８】
図９は、ページ順序を示す情報として、電子ペーパー４０に予め記憶されているデータ（既存データ）を基準とした相対ページ位置情報５５を、紙原稿を読み取って得た各画像データに対して付与する場合の１ページ分のデータ（ページ順序相対指定のデータ）５０Ｂを示している。相対ページ位置情報５５は、方向部５５ａと、オフセット量５５ｂとから構成される。方向部５５ａは、当該ページが既存データの前方のページか後方のページかを示す。ここでは「ＦＯ」は前方を、「ＯＦ」は後方を示す、オフセット量５５ｂは、既存データから前方または後方の何ページ目に位置しているかを示す。この例は、図５、図６に示す原稿束内５ページ目の原稿に対応するデータであり、相対ページ位置情報５５は、当該ページが既存データの後方２ページ目であることを示している。
【００５９】
このように、第１の実施の形態に係る画像読取装置１０では、所望のページ位置に電子ペーパー４０を挿入した原稿束を自動原稿搬送装置３０の原稿台３１にセットし、これを読み取らせるだけで、原稿束内での各原稿類（紙原稿および電子ペーパー４０）の並び順に対応したページ順序に、原稿束内の紙原稿のスキャンデータと電子ペーパー４０内の既存データとを順序付けして電子ペーパー４０のメモリ部４２に記憶させることができる。これにより、既にデータを記憶している電子ペーパー４０に別の原稿の画像データを所望のページ順序で記憶させる場合のユーザの作業負担が軽減され、利便性が向上する。
【００６０】
第１の実施の形態では、電子ペーパー４０の表示部４１に何も表示されていなくてもよいので、書き換え制限値が比較的低い電子ペーパー４０に好適である。
【００６１】
次に、本発明の第２の実施の形態について説明する。
【００６２】
図１０は、第２の実施の形態で使用する自動原稿搬送装置３０Ｂの構成を示している。第１の実施の形態との相違点は、第１通信部１９ａを設けていない点である。第２の実施の形態では、第２通信部１９ｂを使用して、電子ペーパー４０のページ位置の検出および電子ペーパー４０へのデータの転送を行う。
【００６３】
第２の実施の形態では、原稿束の全ページを光学的に読み取り、読み取ったスキャンデータと電子ペーパー４０内に保存されているデータが示す画像とを比較して、一致する（ほぼ一致も含む）場合に、そのスキャンデータは電子ペーパー４０を光学的に読み取って得たものであると判定する。そして、その一致するスキャンデータを読み取ったときの原稿が、読み取り開始から何枚目の原稿であるかを特定して電子ペーパー４０のページ位置を判定する。
【００６４】
図１１は、第２の実施の形態に係る画像読取装置が行う原稿束の読み取り処理の流れを示している。ユーザが、原稿束を原稿台３１に載置した後、図示省略のスタートボタンが押下されると、画像読取装置の制御部１１は図１１の読み取り処理を実行する。
【００６５】
自動原稿搬送装置３０により、原稿台３１にセットされている原稿束の最上のものから順に、１枚ずつ原稿類を搬送してすべての原稿類を光学的に読み取る（ステップＳ２０１〜Ｓ２０３）。次に、第２通信部１９ｂを使用して、排紙トレイ３３上の電子ペーパー４０との通信を試みて、電子ペーパー４０内のデータを取得する（ステップＳ２０４）。ステップＳ２０４で電子ペーパー４０からデータを取得できなかった場合、すなわち、電子ペーパー４０との通信が成立しなかった場合は（ステップＳ２０５；Ｎｏ）、この原稿束には電子ペーパー４０が挿入されていなかったと判定して処理を終了する（エンド）。
【００６６】
電子ペーパー４０からデータを取得できた場合は、光学的に読み取って得た画像データと電子ペーパー４０のメモリ内のデータが示す画像とを比較照合し、電子ペーパー４０のページ位置および電子ペーパー４０に表示されていた画像が電子ペーパー４０内のデータの中の何ページ目のデータであるかを特定する照合処理を行う（ステップＳ２０６）。
【００６７】
図１２は、図１１のステップＳ２０６の照合処理の詳細を示している。Ｎ、Ｍは初期値１とする。電子ペーパー４０からＮページ目の既存データを取得する（ステップＳ２２１）。次に、このＮページ目の既存データとＭページ目のスキャンデータ（光学的に原稿類を読み取って得た画像データ）とを比較照合する（ステップＳ２２２）、一致しないときは（ステップＳ２２３；Ｎｏ）、全スキャンデータと照合済みか否かを調べ（ステップＳ２２４）、照合済みでなければ（ステップＳ２２４；Ｎｏ）、Ｍを＋１して（ステップＳ２２５）、ステップＳ２２２へ移行して比較照合を継続する。
【００６８】
全スキャンデータと照合済みの場合は（ステップＳ２２４；Ｙｅｓ）、電子ペーパー４０内の既存データの全ページと照合済みか否かを調べ（ステップＳ２２６）、照合済みでなければ（ステップＳ２２６；Ｎｏ）、Ｎを＋１して（ステップＳ２２７）、ステップＳ２２１へ移行して処理を継続する。
【００６９】
電子ペーパー４０内の既存データの全ページと照合済みの場合は（ステップＳ２２６；Ｙｅｓ）、一致するデータがないので、電子ペーパー４０は表示中のデータなしと判定して（ステップＳ２２８）処理を終了する（リターン）。
【００７０】
Ｎページ目の既存データとＭページ目のスキャンデータとが一致したときは（ステップＳ２２３；Ｙｅｓ）、Ｍページ目を電子ペーパー４０のページ位置として記録し（ステップＳ２２９）、Ｎページ目を電子ペーパー４０内の既存データのうちの表示中ページのページ位置として記録して（ステップＳ２３０）処理を終了する（リターン）。
【００７１】
照合処理の結果、電子ペーパー４０に表示中のページがない場合は（図１１、ステップＳ２０７；Ｎｏ）、電子ペーパー４０のページ位置が不明な場合のエラー処理を行って（ステップＳ２０９）、処理を終了する。
【００７２】
照合処理の結果、電子ペーパー４０に表示中のページがあった場合は（ステップＳ２０７；Ｙｅｓ）、原稿束の中の電子ペーパー４０以外の紙原稿を読み取って得たスキャンデータを電子ペーパー４０に転送して記憶させ（ステップＳ２０８）処理を終了する。この際、電子ペーパー４０に記憶されている既存データの内、表示中のページのみを対象に、該表示中のページのデータと紙原稿から読み取って得たスキャンデータとが原稿束内の並び順に対応したページ順序となるように順序付けして電子ペーパー４０に記憶させる。このような転送処理を第２転送処理とする。
【００７３】
すなわち、第２転送処理では、電子ペーパー４０内に予め記憶されている既存データ中のＮページ目のデータと紙原稿から読み取って得た画像データとを、これらの中でＮページ目のデータがＭページ目になるようにページ順序付ける。
【００７４】
図１３は、５枚で構成された原稿束の上から３ページ目が電子ペーパー４０である場合における原稿台３１上の初期の載置状態と、この原稿束を図１１の処理によって光学的に読み取って得た画像データを示している。１枚目は「い」の文字の描かれた紙原稿、２枚目は「ろ」の文字の描かれた紙原稿、３枚目は電子ペーパー４０で「Ｃ」の文字が表示されている。４枚目は「は」の文字の描かれた紙原稿、５枚目は「に」の文字の描かれた紙原稿となっている。
【００７５】
図１４は、図１３の原稿束を読み取った場合における、ステップＳ２０８の第２転送処理による転送前の電子ペーパー４０のメモリ部４２の記憶状態４２ｃと、第２転送処理による転送後の電子ペーパー４０のメモリ部４２の記憶状態４２ｄを示している。転送前の記憶状態４２ｃに存在していたデータ（Ａ）、（Ｂ）、（Ｃ）のうち、データ（Ａ）、（Ｂ）はページ順序の対象外である。データ（Ｃ）は表示中ページで、ページ順序の対象（基準）とする。このため、データ（Ｃ）を基準とし、該ページが原稿束内の３ページ目となるように、紙原稿から読み取ったスキャンデータをデータ（Ｃ）の前後に挿入する。
【００７６】
すなわち、データ（Ｃ）の前方に１枚目のスキャンデータ「い」と２枚目のスキャンデータ「ろ」をこの順序で挿入し、データ（Ｃ）の後方に４枚目のスキャンデータ「は」と５枚目のスキャンデータ「に」をこの順序で挿入する。
【００７７】
図１５は、図１４の記憶状態４２ｄにおける表示中ページ「Ｃ」のデータ例であって通しページ番号を付与する場合を示している。既存ページ（Ａ）、（Ｂ）も含めた通しページ番号となっている。
【００７８】
図１６は、図１４の記憶状態４２ｄにおける表示中ページ「Ｃ」のデータ例であって相対ページ位置情報５５でページ順序を示す場合を示している。この場合、方向部５５ａは、「ＦＯ」で前方を、「ＯＦ」で後方を、「ＦＦ」で表示中ページを、「００」で非表示中ページを示す。
【００７９】
このように、第２の実施の形態では、通信部１９は第２通信部１９ｂのみでよく、第１通信部１９ａを設ける必要がないので、装置構成を簡略化することができる。また、所望のページ位置に電子ペーパー４０を挿入した原稿束を自動原稿搬送装置３０Ｂの原稿台３１にセットして、これを自動読み取りさせるだけで、原稿束内の紙原稿のスキャンデータと電子ペーパー４０のメモリ部４２内に予め記憶されていた表示中ページのデータとを、原稿束内での各原稿類の並び順に対応したページ順序に順序付けして電子ペーパー４０のメモリ部４２に記憶させることができる。
【００８０】
これにより、既にデータを記憶している電子ペーパー４０に別の原稿の画像データを所望のページ順序で記憶させる場合のユーザの操作負担が軽減され、利便性が向上する。特に、電子ペーパー４０内に複数ページ分のデータが格納されている場合でも、表示中のページを基準にしてページの順序付けを行うので、原稿束を光学スキャンした場合のページ順序と電子ペーパー４０のメモリ内部でのページ順序を一致させることができる。
【００８１】
次に、本発明の第３の実施の形態について説明する。
【００８２】
第３の実施の形態では、第２の実施の形態と同じ自動原稿搬送装置３０Ｂを使用する。第３の実施の形態では、排紙トレイ３３に原稿類が排紙されたとき第２通信部１９ｂによって電子ペーパー４０との通信を試み、初めて通信に成功した場合に、そのとき排紙された原稿類が電子ペーパー４０であると認識するようになっている。
【００８３】
図１７は、第３の実施の形態に係る画像読取装置が行う原稿束の読み取り処理の流れを示している。ユーザが、原稿束を原稿台３１に載置した後、図示省略のスタートボタンが押下されると、画像読取装置の制御部１１は図１７の読み取り処理を実行する。
【００８４】
自動原稿搬送装置３０Ｂにより、原稿台３１にセットされている原稿束の最上のものから順に、１枚の原稿類を搬送し（ステップＳ３０１）、これを画像読み取り部１８によって光学的に読み取り、その画像データをＲＡＭ１５に保存する（ステップＳ３０２）。読み取りで得た画像データは、何枚目に搬送した原稿の画像データであるかを示す情報（ページ位置を示す情報）と対応付けて、あるいは読み取った順に整列させて保存する。
【００８５】
読み取った原稿を排紙（ステップＳ３０３）した時点もしくは排紙直前から第２通信部１９ｂによる通信を開始し、電子ペーパー４０との通信を試みる（ステップＳ３０４）。電子ペーパー４０と通信できたか否かによってこの排紙された原稿類が電子ペーパー４０か否かを判定する（ステップＳ３０５）。通信不成功の場合は（ステップＳ３０５；Ｎｏ）、電子ペーパー４０でないと判断し、第２通信部１９ｂの通信を終了させて（ステップＳ３１０）、ステップＳ３１１へ移行する。
【００８６】
排紙した原稿類との通信に成功した場合は（ステップＳ３０５；Ｙｅｓ）、第２通信部１９ｂの通信を終了させる（ステップＳ３０６）。そして今回排紙された原稿類を電子ペーパー４０と判定し、該電子ペーパー４０が読み取り開始から何枚目に搬送した原稿類であるか（電子ペーパー４０の原稿束Ｑ内でのページ位置）を示す情報を不揮発メモリ１６に記録する（ステップＳ３０７）。そして、電子ペーパー４０が表示中か否か、および表示中の場合はメモリ部４２内の何ページ目のデータが表示されているかを判定する第２照合処理を行う（ステップＳ３０８）。
【００８７】
図１８は、第２照合処理（図１７のステップＳ３０８）の詳細な流れを示している。Ｎは初期値１とする。電子ペーパー４０からＮページ目のデータを取得する（ステップＳ３２１）。次に、このＮページ目のデータと電子ペーパー４０のスキャンデータとを比較照合する（ステップＳ３２２）、一致しないときは（ステップＳ３２３；Ｎｏ）、電子ペーパー４０内のデータの全ページと照合済みか否かを調べ（ステップＳ３２４）、照合済みでなければ（ステップＳ３２４；Ｎｏ）、Ｎを＋１して（ステップＳ３２５）、ステップＳ３２１へ移行して処理を継続する。
【００８８】
電子ペーパー４０内のデータの全ページと照合済みの場合は（ステップＳ３２４；Ｙｅｓ）、一致するデータがないので、電子ペーパー４０は表示中のデータなしと判定して（ステップＳ３２６）処理を終了する（リターン）。
【００８９】
電子ペーパー４０内のＮページ目のデータとスキャンデータとが一致したときは（ステップＳ３２３；Ｙｅｓ）、Ｎページ目を電子ペーパー４０内の表示中ページのページ位置として記録して（ステップＳ３２７）処理を終了する（リターン）。
【００９０】
第２照合処理を行った後、電子ペーパー４０のスキャンデータを削除して（図１７、ステップＳ３０９）、ステップＳ３１１へ移行する。
【００９１】
ステップＳ３１１では、原稿台３１に残原稿があるか否かを調べ、残原稿があるときは（ステップＳ３１１；Ｙｅｓ）、ステップＳ３０１に戻って処理を継続する。ただし、既に電子ペーパー４０を検出しているとき（電子ペーパー４０のページ位置が記録されているとき）はステップＳ３０４からＳ３１０をスキップし、ステップＳ３０３からステップＳ３１１へ移行する。
【００９２】
残原稿なしの場合は（ステップＳ３１１；Ｎｏ）、この原稿束から電子ペーパー４０が検出されているか否かを判定し（ステップＳ３１２）、検出されていないとき、すなわち電子ペーパー４０のページ位置が記録されていないときは（ステップＳ３１２；Ｎｏ）、電子ペーパー４０はこの原稿束に挿入されていないので、本処理を終了する（エンド）。
【００９３】
電子ペーパー４０が検出されているときは（ステップＳ３１２；Ｙｅｓ）、第２照合処理で表示中ページが特定されているか否かを判定し（ステップＳ３１３）、表示中ページなしと判定されている場合は（ステップＳ３１３；Ｎｏ）、電子ペーパー４０内の全データを基準にページ順序を設定して、紙原稿のスキャンデータを電子ペーパー４０に転送する、第１転送処理を行って（ステップＳ３１４）終了する。たとえば、図１９（ａ）に示すように電子ペーパー４０内に予めページ（Ａ）、（Ｂ）、（Ｃ）のデータが保存されていた場合、原稿束内での電子ペーパー４０のページ位置が３ページ目であれば、第１転送処理によってスキャンデータを転送すると同図（ｂ）に示すようになる。
【００９４】
表示中ページが特定されている場合は（図１７、ステップＳ３１３；Ｙｅｓ）、電子ペーパー４０内の表示中ページのデータを基準にページ順序を設定して、紙原稿のスキャンデータを電子ペーパー４０へ転送する、第２転送処理を行って（ステップＳ３１５）終了する。第２転送処理では、図１４に示すようなページ順序に順序付けされて転送される。
【００９５】
このように、第３の実施の形態では、通信部１９は第２通信部１９ｂのみでよく、第１通信部１９ａを設ける必要がないので、装置構成を簡略化することができる。また、所望のページ位置に電子ペーパー４０を挿入した原稿束を自動原稿搬送装置３０Ｂの原稿台３１にセットして、これを自動読み取りさせるだけで、原稿束内の紙原稿のスキャンデータと電子ペーパー４０のメモリ部４２内に予め記憶されていたデータとを、原稿束内での各原稿類の並び順に対応したページ順序に順序付けして電子ペーパー４０のメモリ部４２に記憶させることができる。これにより、既にデータを記憶している電子ペーパー４０に別の原稿の画像データを所望のページ順序で記憶させる場合のユーザの操作負担が軽減され、利便性が向上する。特に、表示中のページの有無によって第１転送処理と第２転送処理が自動選択されるので、電子ペーパー４０の表示状態に対応したページ順序付けを自動的に行うことができる。
【００９６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９７】
たとえば、第２、第３の実施の形態では、表示中のページの特定を電子ペーパー４０内のデータが示す画像とスキャンデータとを比較することで行ったが、たとえば、メモリ部４２に記憶している中の何ページ目が表示中のページであるかを示す情報を電子ペーパー４０から通信で受け取るようにしてもよい。このようにすれば、たとえば、第１の実施の形態の構成であっても第２転送処理を行うことができる。
【００９８】
なお、実施の形態で示した流れ図では、１枚の原稿の処理を完了してから次の原稿の搬送を開始するようになっているが、原稿台３１から１枚の原稿の送り出しが完了した後、必要な間隔が確保されれば、次の原稿の搬送を開始させてもよく、複数枚の原稿の搬送動作は平行に行われてもかまわない。
【符号の説明】
【００９９】
Ｆ…読み取り位置
Ｑ…原稿束
１０…画像読取装置
１１…制御部
１２…操作部
１３…表示部
１４…ＲＯＭ
１５…ＲＡＭ
１６…不揮発メモリ
１７…画像処理部
１８…画像読み取り部
１９…通信部
１９ａ…第１通信部
１９ｂ…第２通信部
２１…ハードディスク装置
２２…ネットワークＩ／Ｆ部
３０、３０Ｂ…自動原稿搬送装置
３１…原稿台
３２…繰り出しローラ
３３…排紙トレイ
３４…搬送経路
３４ａ…搬送ローラ
３４ｂ…密着ローラ
３４ｃ…スリット
４０…電子ペーパー
４１…表示部
４２…メモリ部
４２ａ…転送前の記憶状態
４２ｂ…第１転送処理による転送後の記憶状態
４２ｃ…転送前の記憶状態
４２ｄ…第２転送処理による転送後の記憶状態
４３…制御部
４４…無線通信部
５０…データ構造
５０Ａ…ページ順序絶対指定のデータ
５０Ｂ…ページ順序相対指定のデータ
５１…画像ＩＤ情報領域
５１ａ…通しページ番号
５２…画像パラメータ領域
５２ａ…画像サイズ（縦）
５２ｂ…画像サイズ（横）
５２ｃ…解像度
５３…画像データ領域
５５…相対ページ位置情報
５５ａ…方向部
５５ｂ…オフセット量
【図１】
2012009955.tif 000003
【図２】
2012009955.tif 000004
【図３】
2012009955.tif 000005
【図４】
2012009955.tif 000006
【図５】
2012009955.tif 000007
【図６】
2012009955.tif 000008
【図７】
2012009955.tif 000009
【図８】
2012009955.tif 000010
【図９】
2012009955.tif 000011
【図１０】
2012009955.tif 000012
【図１１】
2012009955.tif 000013
【図１２】
2012009955.tif 000014
【図１３】
2012009955.tif 000015
【図１４】
2012009955.tif 000016
【図１５】
2012009955.tif 000017
【図１６】
2012009955.tif 000018
【図１７】
2012009955.tif 000019
【図１８】
2012009955.tif 000020
【図１９】
2012009955.tif 000021